(57)【要約】【課題】既に格納されている集約画像を画像形成装置において集約条件を設定して再集約することができる画像形成装置を提供する。【解決手段】１枚の転写紙に複数の原稿画像を集約するための集約設定情報の入力を受け付ける集約入力受付手段と、上記集約設定情報に基づいて集約する集約手段とを設け、さらに、上記集約手段によって集約された集約画像の画像データを記憶する記憶手段と、上記集約設定情報に基づいて、上記集約画像の画像データを上記原稿画像の画像データに分割する分割手段と、上記集約設定情報と異なる設定情報であって、上記集約画像を再集約するための再集約設定情報の入力を受け付ける再集約入力受付手段と、上記再集約設定情報に基づいて、上記分割手段が分割した画像データを用いて再集約する再集約手段とを設ける。【選択図】図４
2008114519.tif 000002
【特許請求の範囲】
【請求項１】
１枚の転写紙に複数の原稿画像を集約するための集約設定情報の入力を受け付ける集約入力受付手段と、上記集約設定情報に基づいて集約する集約手段とを備える画像形成装置であって、
上記集約手段によって集約された集約画像の画像データを記憶する記憶手段と、
上記集約設定情報に基づいて、上記集約画像の画像データを上記原稿画像の画像データに分割する分割手段と、
上記集約設定情報と異なる設定情報であって、上記集約画像を再集約するための再集約設定情報の入力を受け付ける再集約入力受付手段と、
上記再集約設定情報に基づいて、上記分割手段が分割した画像データを用いて再集約する再集約手段と、
を備える画像形成装置。
【請求項２】
上記分割手段に分割された原稿画像のサイズと、上記再集約手段に再集約される画像のサイズとの比を算出する算出手段と、
上記算出手段の算出に基づいて、上記分割手段に分割された原稿画像の画像データを縮小又は拡大する変倍手段とを備え、
上記再集約手段が、上記変倍手段に縮小又は拡大された画像データを再集約する
請求項１記載の画像形成装置。
【請求項３】
上記分割手段に分割された原稿画像の画像データを回転させる回転手段を備え、
上記再集約手段が、上記回転手段に回転された画像データを再集約する
請求項１又は２記載の画像形成装置。
【発明の詳細な説明】
【技術分野】
【０００１】
本発明は、画像形成装置に関し、詳しくは、１枚の転写紙に複数の原稿画像を集約する画像形成装置に関する。
【背景技術】
【０００２】
近年、例えばパーソナルコンピューター（以下、PC）上で画像データの編集を行い、その編集した画像をデジタル複写機からプリント出力する、いわゆるＤＴＰ(desk top publishing)が普及し始めている。このＤＴＰによれば、たとえば複数の異なる原稿の画像を１枚の印刷用紙にプリントする２ｉｎ１、４ｉｎ１等の集約編集を行うことができる。
【０００３】
ユーザは、集約編集を行うときは、上述のようにＰＣ上で集約条件を設定することができ、その集約条件にしたがって集約画像が生成される。ところが、例えばPC上で設定した集約条件に基づいて集約画像を出力した後、さらにその集約画像に変更を加えて再集約したい場合がある。例えば、２枚の２ｉｎ１の集約画像を出力した後、それら２枚を組み合わせて１枚の４ｉｎ１の画像に再集約したい場合がこれに該当する。このような場合には、ユーザは、PC上で集約条件を４ｉｎ１に初めから設定し直し、再集約設定した画像データを再度デジタル複写機に送信するという手順をとっていた。
【０００４】
また、ＰＣから集約条件を誤って設定したことに複写機から出力された原稿を見てはじめて気付くことがある。この場合にも、上記同様PC上で正しい集約条件に変更し、変更した画像データを再度デジタル複写機に送信するという手順がとられていた。
【０００５】
さらに、あるＰＣから集約条件を設定し集約画像を出力した後、別のＰＣからその集約画像に一部修正を加えた画像を出力したい場合がある。この場合には、別のＰＣから所望の集約画像となるように設定し、その集約画像を複写機に送信するという手順がとられていた。
【０００６】
なお、特許文献１には、複数の原稿画像を集約させた集約画像を出力した後、前記複数の原稿画像の配置を変更した集約画像を生成する画像形成装置が記載されている。
【特許文献１】特開２００１−５３９５２号公報
【発明の開示】
【発明が解決しようとする課題】
【０００７】
ところで、画像データは一度複写機に送信されているにもかかわらず、集約条件を変更するたびにPC上で一から設定し直さなければならないのはユーザにとって利便性に欠けていた。
【０００８】
また、あるＰＣから集約画像を複写機に送信した場合、その集約画像を用いて別のＰＣから再集約設定することができれば便利である。
【０００９】
本発明は、上記従来の問題を解決するために提案するものであって、PCで設定した集約条件を変更する場合であっても、PC上で再度一から集約条件を設定し直すのではなく、デジタル複写機に保存されている画像データを利用して集約条件を変更することができる画像形成装置を提供することを目的とする。
【課題を解決するための手段】
【００１０】
本発明の画像形成装置は、１枚の転写紙に複数の原稿画像を集約するための集約設定情報の入力を受け付ける集約入力受付手段と、上記集約設定情報に基づいて集約する集約手段とを備えることを前提としている。集約手段は、画像形成装置上で設定した集約設定情報に基づいて集約することもできるし、PC上で設定した集約設定情報に基づいて集約することもできる。集約設定情報は、原稿画像から集約画像にどのように集約されたかを示す情報である。集約設定情報には、例えば原稿画像のサイズ、集約画像のサイズ、集約数等が含まれる。
【００１１】
本発明の画像形成装置は、上記集約手段によって集約された集約画像の画像データを記憶する記憶手段と、上記集約設定情報に基づいて、上記集約画像の画像データを上記原稿画像の画像データに分割する分割手段とを備えている。すなわち、分割手段は、一度集約された集約画像を元の原稿画像に分割する機能を有している。
【００１２】
また、本発明の画像形成装置は、上記集約設定情報と異なる設定情報であって、上記集約画像を再集約するための再集約設定情報の入力を受け付ける再集約入力受付手段と、
上記再集約設定情報に基づいて、上記分割手段が分割した画像データを用いて再集約する再集約手段とを備える。
【００１３】
この再集約入力受付手段は、画像形成装置上で再集約設定情報の入力を受け付けることもできるし、PC上で再集約設定情報の入力を受け付けることもできる。再集約設定情報には、例えば集約画像のサイズ、集約画像の集約数、再集約画像のサイズ、再集約画像の集約数等が含まれる。
【００１４】
また、上記分割手段に分割された原稿画像のサイズと、上記再集約手段に再集約される画像のサイズとの比を算出する算出手段と、この算出手段の算出に基づいて、上記分割手段に分割された原稿画像の画像データを縮小又は拡大する変倍手段も設けても良い。
【００１５】
さらに、上記分割手段に分割された原稿画像の画像データを回転させる回転手段を備え、上記再集約手段が、上記回転手段に回転された画像データを再集約するようにしてもよい。
【００１６】
そして、上記分割手段が分割した画像データ、又は上記変倍手段が縮小又は拡大した画像データ、又は上記回転手段が回転した画像データを用いて再集約させるための再集約設定を受け付ける再集約設定受付手段を備え、上記再集約手段が上記再集約設定受付手段が受け付けた再集約設定に基づいて再集約するようにしてもよい。
【００１７】
以上の構成によれば、ユーザがＰＣから送信した集約画像を画像形成装置において再集約することができるため、わざわざＰＣから再集約条件を設定し直さなくても良い。すなわち、既に画像形成装置に送信された集約画像を利用することができるため、ユーザは再集約を設定する手間と時間を削減することができる。
【発明の効果】
【００１８】
以上より、本発明では、一度ＰＣから集約条件を設定した画像データを画像形成装置に送信した後であっても、その画像形成装置において集約条件を変更して再集約することができる。
【発明を実施するための最良の形態】
【００１９】
以下、添付図面を参照して、本発明の実施の形態につき説明し、本発明の理解に供する。この実施の形態では、コピー機能、プリンタ機能、ファクシミリ機能等を有するいわゆるデジタル複合機として本発明を具体化している。
【００２０】
図１は、本実施の形態における複合機１００の全体構成を示す概念図である。
【００２１】
ユーザが複合機１００を利用して原稿のコピーを行う場合、原稿を例えば原稿台１０３に載置し、操作部（例えば後述する操作パネル２０１）に対して印刷の指示を行う。当該指示があると、以下に示す各部（駆動部）が動作することで、印刷が行われる。
【００２２】
画像読取部１０１において、光源１０４から照射された光は、原稿台１０３に置かれた原稿に反射し、ミラー１０５によって撮像素子１０８に導かれる。撮像素子１０８は受光した光を光電変換することで、原稿の画像データを生成する。
【００２３】
画像形成部１０２は、給紙カセット１２２から給紙される用紙に対して画像形成を行う。この画像形成部１０２には、感光体ドラム１０９と、その周囲に配置された帯電器１１０、露光器１１１、現像器１１２及び転写器１１３等と、その下流側に配置された定着装置１１８とを有している。感光体ドラム１０９表面を帯電器１１０によって帯電し、引き続いて露光器１１１により画像データに応じて光を照射する。こうすることで、感光体ドラム１０９上に静電潜像を形成する。そして、現像器１１２が静電潜像にトナーを付着することで、感光体ドラム１０９上にトナー像が形成される。その後トナー像は転写器１１３によって用紙に転写される。
【００２４】
また画像形成部１０２は、印刷を行うときは何れか１つの給紙カセット１２２から用紙１枚をピックアップローラ１１５を用いて給紙する。給紙カセット１２２から引き出された用紙は、搬送ローラ１１６により用紙搬送路１２５へ引き出される。その後、用紙はレジストローラ１１７で感光体ドラム１０９と転写器１１３の間に送り込まれる。
【００２５】
定着装置１１８において、加熱ローラ１１９と加圧ローラ１２０の間を用紙が通過すると、熱と用紙への押圧力によって可視像が用紙に定着する。画像形成部１０２は、定着装置１１８を通過した用紙を排紙トレイ１２１へ排紙する。
【００２６】
図２は、操作パネルの操作画面を示す図である。
【００２７】
ユーザは、操作パネル２０１を用いて、複写機に複写開始やその他の指示を与えたり、複写機の状態や設定を確認したりすることができる。本実施形態の操作パネル２０１は、表示機能と操作機能を一体に備えたタッチ式の液晶パネルで構成されており、例えばメッセージ欄２０３及び操作キー２０２を有する操作画面を表示する。メッセージ欄２０３は、コピーが可能かどうかや用紙の補給が必要かどうかなどの複写機の状態や、複写部数、複写倍率、選択された用紙のサイズなどの設定をユーザに知らせるメッセージを表示する。ユーザは、操作キー２０２によって用紙のサイズや向き、倍率、濃度などの種々の設定を行うことができる。また、この操作キー２０２には、後述する集約キー２０２ａや再集約キー２０２ｂが含まれる。
【００２８】
図３は複合機における制御系ハードウェアの概略構成図である。
【００２９】
複合機１００本体の制御回路３０１は、上述のような設定や指示を受け付けて複合機を動作させたりする。その制御回路３０１には、操作パネル２０１の回路３０２や給紙装置等のそれぞれの回路が接続される。
【００３０】
制御回路３０１は、ＣＰＵ（Central Processing Unit）３０３、ＲＯＭ（Read Only Memory）３０４、ＲＡＭ（Random Access Memory）３０５、画像メモリ３０６が内部バス３０７を介して接続されている。
【００３１】
ＲＯＭ３０４には、制御プログラムおよび標準の設定やその他のデータが格納されている。ＣＰＵ３０３は、ＲＯＭ３０４の制御プログラムを読み出して実行し、その制御プログラムが、同じくＲＯＭ３０４に記憶されている、各駆動部に対応するドライバとデータや命令を授受することにより各駆動部の動作を制御する。
【００３２】
ＲＡＭ３０５は、ＣＰＵ３０３が作業領域として用いたり一時的なデータを格納したりするのに用いられる。例えば、１枚の用紙に複数の画像を配置させる集約機能を利用した場合は、その集約条件等の集約設定情報が後述する集約情報テーブルとしてRAM上に記述される。
【００３３】
画像メモリ３０６は、例えばＤＲＡＭ（Dynamic Random Access Memory）で構成されており、画像データを一時的に記憶する記憶手段としての機能を有する。この画像メモリ３０６には、上記画像読取部１０１で読み取った画像データや、例えばネットワーク３２１を介してＰＣから送信されてきた画像データ等が格納される。また、複数の画像データが集約された場合には、その集約された画像データが格納される。
【００３４】
制御回路３０１の内部バス３０７には、通信インターフェイス３０９、内部インターフェイス３１０が接続されている。通信インターフェイス３０９は、コンピュータ３２０からネットワーク３２１を介して送られてきた画像データを受信する。
【００３５】
内部インターフェイス３１０は、操作パネルの回路３０２やその他の回路を制御回路３０１と接続する。ＣＰＵ３０３は、内部インターフェイス３１０を通じて、操作パネル等の回路からの信号を受信したり、操作パネル等の回路へ信号を送信したりする。
【００３６】
操作パネルの回路３０２では、バス３１１に、ＣＰＵ３１２やディスプレイ３１３、操作キー２０２、内部インターフェイス３１４を備える。操作キー２０２をユーザが操作すると、ＣＰＵ３１２は、内部インターフェイス３１４を通じて、その操作に基づく信号を制御回路３０１に送信する。例えば濃度や複写倍率を操作キー２０２で設定すると、その設定データが制御回路３０１に送られる。制御回路３０１は、その設定データにしたがって画像形成部３０２を制御する。
【００３７】
またＣＰＵ３１２は、内部インターフェイス３１４を通じて、制御回路３０１から命令を受信すると、その命令にしたがってディスプレイ３１３にメッセージを表示する。例えば給紙カセットや大容量給紙装置の用紙がなくなると、ディスプレイ３１３は、補給を促すメッセージを表示する。
【００３８】
次に、本実施形態における複合機による再集約の動作処理について説明する。
【００３９】
図４は、本実施形態における複合機の機能ブロック図である。図５は、集約画像が再集約されるまでの流れを示す図である。図６は、集約情報テーブル及び再集約情報テーブルのデータ構成図である。
【００４０】
まず、ユーザが、本実施形態の複合機を用いて複数の原稿画像を集約する場合について説明する。ここで、集約とは、１枚の用紙に複数の原稿画像を配置させることをいい、後述する集約手段４０１によって実行される。
【００４１】
ユーザは、集約入力受付手段４０７に集約手段４０１の集約設定情報（すなわち、どのように集約するかの集約条件）を入力する。入力方法としては、図４に示すようにネットワークを介してPC３２０から入力することも可能であるし、操作パネル２０１上で入力することも可能である。なお、操作パネル２０１上で設定する場合は、集約キー２０２ａを押下することで集約設定画面（図示しない）を表示させ、集約設定を行うことができる。集約設定情報には、集約前の原稿画像に関する情報と、集約後の集約画像に関する情報とが含まれる。原稿画像に関する情報とは、原稿枚数、原稿画像の縦横の方向、原稿画像のサイズ等が該当する。集約画像に関する情報とは、集約数、集約画像の縦横の方向、集約画像のサイズ等が該当する。
【００４２】
集約入力受付手段に入力した集約設定情報にしたがって、集約手段４０１は集約を実行する。具体的には、PC３２０から送信され一時的に上記画像メモリ３０６内に保存された原稿画像を、画像メモリ３０６から順次読み出し、読み出した原稿画像をユーザが設定した位置に配置させることで集約画像を生成する。例えば図５では、A４サイズの原稿画像A１、B１（図５Ａ）が集約された２ｉｎ１集約画像１（図５Ｂ）、及びA４サイズの原稿画像C１、D１（図５Ａ）が集約された２ｉｎ１集約画像２（図５Ｂ）を示している。
【００４３】
集約手段４０１によって集約された集約画像１、２の画像データは、画像メモリ３０６に格納される。また、集約手段４０１の集約設定情報は、例えば図６Aに示す集約情報テーブル３０８としてRAM上に記述される。集約情報テーブル３０８には、集約前の原稿画像に関する情報と、集約後の集約画像に関する情報が記述されている。具体的には、原稿枚数、集約数、原稿画像の縦横の方向、原稿画像のサイズ、集約画像の縦横の方向、集約画像のサイズ等が含まれる。
【００４４】
次に、ユーザが画像メモリ３０６内の集約画像１、２を用いて再集約する場合について説明する。ここで、再集約とは、すでに集約されている集約画像を用いて上記集約設定情報（集約条件）と異なる条件で再び集約することをいう。再集約する場合の例としては、例えば図５に示すように複数の集約画像を組み合わせる場合、一度集約した原稿画像の配置を変更する場合、複数の集約原稿から必要な画像を抜き出して集約する場合等が挙げられる。
【００４５】
ユーザは、再集約入力受付手段４０２に画像メモリ３０６内の前記集約画像１、２をどのように再集約するかの再集約設定情報を入力する。この再集約設定情報は、操作パネル２０１上で設定することも可能であるし、ネットワークを介してPC３２０から設定することも可能である。ここでは、操作パネル２０１を用いて再集約設定情報を入力する場合について説明する。ユーザは、まず前記再集約キー２０２ｂを押下することで再集約設定画面を表示させる。
【００４６】
図７は、再集約設定情報を入力するための再集約設定画面７０１の一例を示す図である。再集約設定情報には、再集約前の集約画像に関する情報と、再集約後の再集約画像に関する情報とが含まれる。
【００４７】
ユーザは集約設定項目に、既に画像メモリ３０６内に格納されている集約画像に関する情報を入力する。具体的には、「原稿枚数」、「集約数」、「集約画像の方向」、「集約画像のサイズ」を入力する。
【００４８】
「原稿枚数」は、集約画像の原稿が何枚あるかを入力する。例えば、図５Ｂでは、原稿枚数は、集約画像１の原稿と集約画像２の原稿の２枚からなるため、「２」を入力する。「集約数」欄には、集約画像の集約数を入力する。図５Ｂでは、集約画像１、２はともに２ｉｎ１画像なので、「２」を入力する。「集約画像の方向」欄には、集約画像が縦向きに配置されているのか横向きに配置されているのかを選択する。図５Ｂでは、集約画像１、２はともに縦向きに配置されるので「縦」を選択する。「集約画像のサイズ」欄には、すでに複写機に送信された集約画像のサイズを入力する。図５Ｂでは、集約画像１、２はA４サイズなので「A４」を入力する。
【００４９】
なお、この集約画像に関する情報は、集約情報テーブルに記述されている。したがって、集約情報テーブルを操作パネルに表示させることで、ユーザがこの集約情報テーブルを参照しながら集約画像情報を入力することができるようにしてもよい。
【００５０】
次に、ユーザは再集約設定項目に、再集約画像の再集約設定情報を入力する。具体的には、「集約数」、「再集約画像の方向」、「再集約画像のサイズ」が含まれる。
【００５１】
「集約数」欄には、再集約画像の集約数を入力する。例えば図５Ｅでは、ユーザは再集約画像を４ｉｎ１画像に編集しようとしているため「４」を入力する。「再集約画像の方向」欄には、ユーザは再集約画像を縦向きに配置させるのか横向きに配置させるのかを選択する。例えば、図５Ｅでは、再集約画像は縦向きに配置されるので「縦」を選択し、図５Ｇでは、横向きに配置されるので「横」を選択する。「再集約画像のサイズ」欄には、ユーザが出力しようとする再集約画像のサイズを入力する。図５Ｅでは、再集約画像はA３サイズなので「A３」を入力する。
【００５２】
入力受付手段４０２に入力された再集約設定情報は、例えば図６Bに示す再集約情報テーブル６０１としてRAM上に記述される。再集約設定情報の例としては、集約原稿の枚数、集約数、集約画像の縦横の方向、集約画像のサイズ、再集約画像の縦横の方向、再集約画像のサイズ等が含まれる。この再集約設定情報の入力に基づいて、以下の分割手段４０３、変倍手段４０４、回転手段４０５等がそれぞれの処理を実行する。
【００５３】
分割手段４０３は、画像メモリ３０６に記憶されている集約画像の画像データを元の原稿画像の画像データに分割する。分割手段４０３は、まず、再集約情報テーブル６０１を参照することで集約画像の「集約数」を求め、その集約数に基づいて分割する。集約画像の集約数が２である場合（すなわち２ｉｎ１集約画像である場合）には２つに分割し、集約数が４である場合（すなわち４ｉｎ１集約画像である場合）には４つに分割する。例えば図５Ｃでは、集約画像１が分割された分割画像A３、B３、及び集約画像２が分割された分割画像C３、D３を示している。分割画像A３、B３、C３、D３（図５Ｃ）は、それぞれ集約前の原稿画像A１、B１、C１、D１（図５A）と同一の画像である。
【００５４】
変倍手段４０４は、分割画像のサイズ（原稿画像のサイズと同一）を縮小又は拡大する。この変倍手段４０４により、前記分割画像を再集約する再集約画像を、ユーザーが指示したサイズに調整させることができる。本実施形態の変倍手段４０４は縮小率又は拡大率を算出する算出手段としての機能も兼ね備えている。変倍手段による算出方法は以下の通りである。まず、再集約情報テーブル６０１の再集約設定情報に記述された「集約画像の集約数」「集約画像のサイズ」とから分割画像のサイズ、すなわち原稿画像のサイズを求める。具体的には、分割画像のサイズ（原稿画像のサイズ）は、「集約画像のサイズ」を「集約数」で除したサイズである。例えば、図６においては、集約画像１、２のサイズは「A３サイズ」で、集約数は「２」であるため、原稿画像Ａ１、Ｂ１、Ｃ１、Ｄ１のサイズはＡ３サイズの１／２である「A４サイズ」であることが分かる。
【００５５】
次に、再集約画像を構成する再集約前の再集約原稿画像Ａ５、Ｂ５、Ｃ５、Ｄ５のサイズを算出する。再集約原稿画像のサイズも、上記同様に再集約情報テーブル６０１に記述されている「再集約画像のサイズ」と「再集約数」とから算出することができる。例えば、図６Ｅでは、再集約画像のサイズは「A３サイズ」で、再集約数は「４」であるため、再集約原稿画像Ａ５、Ｂ５、Ｃ５、Ｄ５のサイズはＡ３サイズの１／４である「A５サイズ」であることが分かる。最後に分割画像のサイズ「A４」から再集約原稿画像のサイズ「A５」に縮小する縮小率を、予め用意されている縮小拡大率表（図示しない）から求めることができる。以上のようにして算出した縮小率又は拡大率に基づいて、変倍手段４０４は、分割画像を縮小又は拡大する。
【００５６】
回転手段４０５は、原稿画像の縦横の方向を９０度回転させた回転画像を生成する。ただし、回転手段は原稿画像を常に回転させるわけではなく、原稿画像の縦横の方向、すなわち分割画像や変倍画像の縦横の方向（分割画像と変倍画像の縦横の方向は、原稿画像の縦横の方向と同一）と、ユーザが指示した前記再集約原稿画像の縦横の方向とが合致していない場合に、分割画像又は変倍画像を９０°回転させる。
【００５７】
分割画像、変倍画像と再集約原稿画像の縦横の方向が合致しているか否かは以下のようにして判断する。まず、再集約情報テーブル６０１の再集約設定情報に記述された「集約画像の集約数」「集約画像の方向」とから分割画像の方向（変倍画像の縦横の方向）を求める。例えば、図６に示す再集約情報テーブル６０１を参照すると、集約画像の集約数は「２」で、集約画像の方向は「横」であるため、原稿画像の方向は「縦」であることが分かる（図５Ｂ参照）。
【００５８】
次に、再集約原稿画像の縦横の方向を求める。再集約原稿画像の方向も、上記同様に再集約情報テーブル６０１に記述されている「再集約画像の方向」と「再集約数」とから算出することができる。例えば、図６に示す再集約情報テーブル６０１を参照すると、再集約画像の方向は「縦」で、再集約数は「４」であるため、再集約原稿画像Ａ５〜Ｄ５の方向は「縦」であることが分かる。この場合は、変倍画像Ａ４〜Ｄ４の方向（縦方向）と再集約原稿画像Ａ５〜Ｄ５の方向（縦方向）とは一致するため、回転手段４０５は変倍画像Ａ４〜Ｄ４を９０度回転させない（図５Ｅ参照）。
【００５９】
これに対して、図５Ｇでは、再集約画像の方向は「横」で、再集約数は「４」であるため、再集約原稿画像の方向は「横」であることが分かる。この場合は、変倍画像の方向（縦方向）と再集約原稿画像の方向（横方向）とは一致しないため、回転手段４０５は変倍画像を回転させる。以上のようにして、回転手段４０５は、ユーザが指示する再集約画像の方向に応じて、変倍画像若しくは分割画像を９０度回転させる場合と、回転させない場合がある。なお、変倍手段４０４による変倍と回転手段４０５による回転のうちどちらを先にするかは特に限定しない。
【００６０】
再集約手段４０６は、上記入力受付手段４０２に入力された再集約設定情報に基づいて再集約する。再集約手段４０６が再集約する画像は、分割画像Ａ３〜Ｄ３である場合と、変倍画像Ａ４〜Ｄ４である場合と、回転画像Ａ６〜Ｄ６である場合がある。すなわち、分割画像Ａ３〜Ｄ３が変倍手段４０４によって変倍された場合（図５Ｅ）には変倍画像Ａ４〜Ｄ４が再集約され、分割画像Ａ３〜Ｄ３が回転手段４０５によって回転された場合（図５Ｇ）には回転画像Ａ６〜Ｄ６が再集約される。
【００６１】
以上より、PC３２０から複合機１００に送信された集約画像１、２を再集約しようとする場合、複合機１００側で集約設定情報を入力することができる。すなわち、ＰＣ３２０から出力した際の集約設定情報（集約条件）を変更する場合であっても、従来のようにＰＣ３２０上で再び設定しなおす必要はなく、既に送信されている集約画像１、２を利用することができる。
【００６２】
尚、上述した実施の形態は、本発明を具体化した一例であって、本発明の技術的範囲を限定する性格のものではない。
【００６３】
図８は、別の実施形態における複合機のハードウェア構成図を示している。上述の実施形態と共通する点は説明を省略し、異なる点を中心に説明する。本実施形態の複合機も上述と同様、集約手段４０１、分割手段４０３、変倍手段４０４、回転手段４０５、再集約手段４０６を備えている。
【００６４】
ここで、本実施形態では上述と同様、ＰＣ８０1から集約設定情報を入力している。そして、集約手段４０１は、集約設定情報に基づいて集約画像を出力するとともに、この集約画像は画像メモリ３０６に格納される。
【００６５】
次に、画像メモリ３０６内の集約画像を再集約する点についてであるが、上述の実施形態では、再集約設定情報の入力は画像形成装置上で行っている。これに対して、本実施形態では、再集約設定情報の入力は集約設定情報を入力したＰＣ８０１と異なるＰＣ８０２から行う。すなわち、ＰＣ８０１から設定した集約画像は複合機の画像メモリ３０６内に格納されているため、その集約画像を利用して別のＰＣ８０２から再集約設定を行うのである。
【００６６】
なお、入力する再集約設定情報は、上述と同様、集約画像に関する情報と、再集約画像に関する情報である。集約画像に関する情報には、「原稿枚数」、「集約数」、「集約画像の方向」、「集約画像のサイズ」が含まれる。再集約画像に関する情報には、「再集約数」、「再集約画像の方向」、「再集約画像のサイズ」が含まれる。この再集約設定情報に基づいて、分割手段４０３、変倍手段４０４、回転手段４０５、再集約手段４０６が動作する。
【００６７】
以上の構成により、例えば、あるＰＣ８０１上で集約条件を設定した集約画像を出力した後、別のユーザーが他のＰＣ８０２上でその集約画像の集約条件を変更して、上記集約画像を再集約することができる。
【００６８】
なお、本発明は、上述の実施形態のように２枚の２ｉｎ１画像を１枚の４ｉｎ１画像に再集約する場合に限らず、他の様々な再集約画像を出力したい場合にも適用することができる。例えば図９Ａに示すように、２枚の４ｉｎ１集約画像の原稿を１枚の８ｉｎ１原稿に再集約することも可能である。また、図９Ｂに示すように、２枚の４ｉｎ１集約画像から一部の任意の原稿画像を抜き出して１枚の４ｉｎ１集約画像を生成することも可能である。
【産業上の利用可能性】
【００６９】
本発明にかかる画像形成装置は、集約機能を有する複写機やプリンタ、複合機など様々な機器に有用である。
【図面の簡単な説明】
【００７０】
【図１】複合機の概略構成図。
【図２】操作パネルの操作画面を示す図。
【図３】複合機の制御系ハードウェアの概略構成図。
【図４】本実施形態における複合機の機能ブロック図。
【図５】集約画像が再集約されるまでの流れを示す図。
【図６】集約情報テーブル及び再集約情報テーブルのデータ構成図。
【図７】再集約の条件を設定するための再集約設定画面の一例を示す図
【図８】他の実施形態における複合機の制御系ハードウェアの概略構成図。
【図９】他の実施形態における再集約画像を示す図。
【符号の説明】
【００７１】
１００  複合機
１０１  画像読取部
１０２  画像形成部
２０１  操作パネル
３０６  画像メモリ
３０８  集約情報テーブル
３２０  パーソナルコンピュータ（ＰＣ）
４０１  集約手段
４０２  入力受付手段
４０３  分割手段
４０４  変倍手段
４０５  回転手段
４０６  再集約手段
６０１  再集約情報テーブル
【図１】
2008114519.tif 000003
【図２】
2008114519.tif 000004
【図３】
2008114519.tif 000005
【図４】
2008114519.tif 000006
【図５】
2008114519.tif 000007
【図６】
2008114519.tif 000008
【図７】
2008114519.tif 000009
【図８】
2008114519.tif 000010
【図９】
2008114519.tif 000011